(57)【特許請求の範囲】
【請求項１】
電線端に端子金具が接続された複数の端子付き電線と、
前記端子付き電線の前記電線端と前記端子金具とを後端開口部から収容保持する端子挿入孔を有した樹脂製ハウジングと、
内周が前記端子挿入孔内の電線の外周面に密着すると共に、外周が前記端子挿入孔の内周面に密着するように前記端子挿入孔に嵌合装着されて、前記電線と前記端子挿入孔との間を封止するゴム製の防水リングと、
前記樹脂製ハウジングの外周を覆うように前記樹脂製ハウジングに被嵌装着されて前記樹脂製ハウジング内を周囲から電磁遮蔽するシールドシェルと、
を備える防水型シールドコネクタであって、
前記シールドシェルに、
前記端子挿入孔内の前記防水リングの後端部を覆うように前記後端開口部に被さって前記防水リングの抜けを防止するリング押え部と、
前記端子挿入孔に挿入されるそれぞれの前記電線の外周に嵌合して前記電線の径方向の変位を規制する略筒状の複数の電線押え部と、
を一体形成したことを特徴とする防水型シールドコネクタ。
【発明の詳細な説明】
【技術分野】
【０００１】
本発明は、防水型シールドコネクタに関する。
【背景技術】
【０００２】
図４は、防水型シールドコネクタの従来例を示したものである。
この防水型シールドコネクタ１００は、下記特許文献１に開示されたものである。この防水型シールドコネクタ１００は、端子付き電線１１０と、樹脂製ハウジング１２０と、ゴム製の防水リング１３０と、シールドシェル１４０と、を備えている。
【０００３】
端子付き電線１１０は、被覆付き電線１１１の端部（電線端）１１１ａに、機器側の接続端子に導通接続する端子金具１１２が接続されたものである。
【０００４】
樹脂製ハウジング１２０は、図４に示すように、機器側のシールドケース１２４のコネクタ嵌合孔１２４ａに嵌合接続されるケース嵌合部１２１と、このケース嵌合部１２１に貫通形成された端子挿入孔１２２と、を備える。
【０００５】
シールドケース１２４は、例えば電気自動車のインバータ装置等に装備されるコネクタ接続用の金属製筐体である。
【０００６】
樹脂製ハウジング１２０の端子挿入孔１２２は、端子付き電線１１０の電線端１１１ａと端子金具１１２とを、後端開口部１２２ａから収容保持する孔部である。端子挿入孔１２２に収容された端子金具１１２は、端子挿入孔１２２に臨んで装備されているランス１２３に係止されて、抜け止めされる。ランス１２３に係止された端子金具１１２の先端部は、ケース嵌合部１２１の先端から突出していて、シールドケース１２４内の不図示の接続端子に接続される。
【０００７】
防水リング１３０は、端子挿入孔１２２に嵌合装着されている。端子挿入孔１２２内の防水リング１３０は、内周が端子挿入孔１２２内の電線１１１の外周面に密着すると共に、外周が端子挿入孔１２２の内周面に密着して、電線１１１と端子挿入孔１２２との間を封止して、端子挿入孔１２２に防水性を確保する。
【０００８】
端子挿入孔１２２の後端開口部１２２ａには、筒状のリアホルダー１５０が嵌合装着される。このリアホルダー１５０は、電線１１１の外周を保持する電線保持孔１５１と、防水リング１３０に当接して防水リング１３０の抜けを防止するリング押え部１５２と、端子挿入孔１２２に形成された係止孔１２２ｂに係合して樹脂製ハウジング１２０との結合を果たす係止突起１５３と、を備えている。リアホルダー１５０の電線保持孔１５１は、電線１１１の径方向への移動を規制することで、電線１１１に作用する曲げ荷重でシールリング１３０が径方向に歪んで防水性が低下することを防止する。
【０００９】
シールドシェル１４０は、金属製で、樹脂製ハウジング１２０の外周を覆うように樹脂製ハウジング１２０に被嵌装着されて、樹脂製ハウジング１２０内を周囲から電磁遮蔽する。このシールドシェル１４０は、樹脂製ハウジング１２０の外周に嵌合する筒状構造の内側シェル１４１と、この内側シェル１４１の外周に嵌合する外側シェル１４２と、を備えた２重筒構造である。内側シェル１４１と外側シェル１４２とは、電線１１１に被せられた電磁シールド用の金属編組線１６１を挟持することで、金属編組線１６１に導通接続される。
【００１０】
また、下記特許文献２には、上記のリアホルダー１５０を省く代わりに、樹脂製ハウジングの端子挿入孔と電線との間を封止する防水リングを、補強用の樹脂部材を埋設装備する構造に改良した防水型シールドコネクタが開示されている。
【先行技術文献】
【特許文献】
【００１１】
【特許文献１】特開２００５−１２９３５５号公報
【特許文献２】特開２００９−１２３５８４号公報
【発明の概要】
【発明が解決しようとする課題】
【００１２】
ところが、上記の特許文献１の防水型シールドコネクタ１００では、シールリング１３０の抜け止めや、電線１１１の曲げによる防水性の低下を防止するために、専用のリアホルダー１５０を端子挿入孔１２２に組み付ける構成となっていて、別体のリアホルダー１５０を装備することが、構成部品の増加や組立工程数の増加を招き、製造コストの高額化の原因となっていた。
【００１３】
一方、上記特許文献２の防水型シールドコネクタでは、リアホルダー１５０が省かれているため、その分、構成部品の削減及び組立工程数の削減を図ることができる。しかし、防水リングを挿通する電線に曲げ荷重が作用したときに、防水リングのゴム部が曲げ荷重の方向に歪むことを防止できない。そして、防水リングの歪みによって、防水リングが端子挿入孔に対して片当たり状態となり、防水リングによる封止性能が低下するおそれがあった。
【００１４】
そこで、本発明の目的は、上記課題を解消することに係り、構成部品の削減及び組立工程数の削減によってコスト低減を図ることができ、しかも、樹脂製ハウジングの端子挿入孔に装着される防水リングにおける封止性能が電線に作用する曲げ荷重の影響で低下することを防止することのできる防水型シールドコネクタを提供することにある。
【課題を解決するための手段】
【００１５】
本発明の前述した目的は、下記の構成により達成される。
（１）電線端に端子金具が接続された複数の端子付き電線と、
前記端子付き電線の前記電線端と前記端子金具とを後端開口部から収容保持する端子挿入孔を有した樹脂製ハウジングと、
内周が前記端子挿入孔内の電線の外周面に密着すると共に、外周が前記端子挿入孔の内周面に密着するように前記端子挿入孔に嵌合装着されて、前記電線と前記端子挿入孔との間を封止するゴム製の防水リングと、
前記樹脂製ハウジングの外周を覆うように前記樹脂製ハウジングに被嵌装着されて前記樹脂製ハウジング内を周囲から電磁遮蔽するシールドシェルと、
を備える防水型シールドコネクタであって、
前記シールドシェルに、
前記端子挿入孔内の前記防水リングの後端部を覆うように前記後端開口部に被さって前記防水リングの抜けを防止するリング押え部と、
前記端子挿入孔に挿入されるそれぞれの前記電線の外周に嵌合して前記電線の径方向の変位を規制する略筒状の複数の電線押え部と、
を一体形成したことを特徴とする防水型シールドコネクタ。
【００１６】
上記（１）の構成によれば、樹脂製ハウジングの端子挿入孔に嵌合装着される防水リングは、樹脂製ハウジングに被嵌装着されるシールドシェルに一体形成されたリング押え部により抜け止めされる。
【００１７】
従って、防水リングの抜け止めのために別体のリアホルダーを設けていた従来の防水型シールドコネクタと比較すると、リアホルダーが不要になる分、構成部品の削減及び組立工程数の削減によってコスト低減を図ることができ。
【００１８】
また、防水リングを挿通する端子付き電線の電線端は、シールドシェルに一体形成された電線押え部により径方向の変位が規制されるため、電線に作用する曲げ荷重が防水リングに影響を及ぼすことがなく、防水リングが曲げ荷重の方向に歪むことを防止することができる。従って、防水リング内に補強用の樹脂部材を埋設装備していた従来の防水型シールドコネクタと比較すると、防水リングに樹脂部材の埋設が不要になる分、防水リングの製造が容易になる。更に、樹脂製ハウジングの端子挿入孔に装着される防水リングにおける封止性能が電線に作用する曲げ荷重の影響で低下することを防止することができる。
【発明の効果】
【００１９】
本発明による防水型シールドコネクタによれば、樹脂製ハウジングの端子挿入孔に嵌合装着される防水リングは、樹脂製ハウジングに被嵌装着されるシールドシェルに一体形成されたリング押え部により抜け止めされる。従って、防水リングの抜け止めのために別体のリアホルダーを設けていた従来の防水型シールドコネクタと比較すると、リアホルダーが不要になる分、構成部品の削減及び組立工程数の削減によってコスト低減を図ることができる。
【００２０】
また、防水リングを挿通する端子付き電線の電線端は、シールドシェルに一体形成された電線押え部により径方向の変位が規制されるため、電線に作用する曲げ荷重が防水リングに影響を及ぼすことがなく、防水リングが曲げ荷重の方向に歪むことを防止することができる。従って、防水リング内に補強用の樹脂部材を埋設装備していた従来の防水型シールドコネクタと比較すると、防水リングに樹脂部材の埋設が不要になる分、防水リングの製造が容易になる。更に、樹脂製ハウジングの端子挿入孔に装着される防水リングにおける封止性能が電線に作用する曲げ荷重の影響で低下することを防止することができる。
【００２１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２２】
【図１】本発明に係る防水型シールドコネクタの一実施形態の縦断面図である。
【図２】図１に示したＡ部の拡大図である。
【図３】図２に示したシールドシェルの外観斜視図である。
【図４】従来の防水型シールドコネクタの縦断面図である。
【発明を実施するための形態】
【００２３】
以下、本発明に係る防水型シールドコネクタの好適な実施形態について、図面を参照して詳細に説明する。
【００２４】
図１〜図３は本発明に係る防水型シールドコネクタの一実施形態を示したもので、図１は本発明の一実施形態の防水型シールドコネクタの縦断面図、図２は図１に示したＡ部の拡大図、図３は図２に示したシールドシェルの外観斜視図である。
【００２５】
この一実施形態の防水型シールドコネクタ１は、端子付き電線１０と、樹脂製ハウジング２０と、防水リング３０と、シールドシェル４０と、を備えている。
【００２６】
端子付き電線１０は、被覆付き電線１１の端部（電線端）１１ａに、機器側の接続端子に導通接続する端子金具１２が接続されたものである。端子金具１２の先端部には、機器側の接続端子をねじ止めするためのナット１３が固定装備されている。
【００２７】
樹脂製ハウジング２０は、図１に示すように、機器側の金属製のシールドケース（筐体）５１のコネクタ嵌合孔５１ａに嵌合接続されるケース嵌合部２１と、このケース嵌合部２１に貫通形成された端子挿入孔２２と、を備える。
【００２８】
シールドケース５１は、例えばＥＶ（Electric Vehicle＝電気自動車）やＨＥＶ（Hybrid-Electric Vehicle）のインバータ装置等に装備されるコネクタ接続用の金属製筐体である。
【００２９】
樹脂製ハウジング２０の端子挿入孔２２は、端子付き電線１０の電線端１１ａと端子金具１２とを、後端開口部２２ａから収容保持する孔部である。本実施形態の樹脂製ハウジング２０は、２本の端子付き電線１０を収容保持するように、端子挿入孔２２が左右に並んで２つ装備されている。
【００３０】
端子挿入孔２２に収容された端子金具１２は、端子挿入孔２２に臨んで装備されているランス２３に係止されて、抜け止めされる。ランス２３に係止された端子金具１２の先端部は、ケース嵌合部２１の先端から突出していて、シールドケース５１内の不図示の接続端子に接続される。
【００３１】
防水リング３０は、端子挿入孔２２に嵌合装着されている。端子挿入孔２２内の防水リング３０は、内周が端子挿入孔２２内の被覆付き電線１１の外周面に密着すると共に、外周が端子挿入孔２２の内周面に密着して、被覆付き電線１１と端子挿入孔２２との間を封止して、端子挿入孔２２に防水性を確保する。
【００３２】
樹脂製ハウジング２０のケース嵌合部２１は、図１に示すように、ゴム製のシールリング５４を介して、シールドケース５１のコネクタ嵌合孔５１ａに嵌合する。シールリング５４は、内周がケース嵌合部２１の外周面に密着すると共に、外周がコネクタ嵌合孔５１ａの内周面に密着して、シールドケース５１とケース嵌合部２１との間を封止する。
【００３３】
ケース嵌合部２１の前端側には、シールリング５４をケース嵌合部２１の外周部に位置決め固定するリングホルダー２５が取り付けられる。
【００３４】
シールドシェル４０は、金属製で、樹脂製ハウジング２０の外周を覆うように樹脂製ハウジング２０にその後端部側から被嵌装着されて、樹脂製ハウジング２０内を周囲から電磁遮蔽する。このシールドシェル４０は、シールドケース５１に導通接続されるケース接続部４１と、樹脂製ハウジング２０のケース嵌合部２１の外周を覆う筒状構造のハウジング嵌合筒部４２と、を備えている。
【００３５】
ケース接続部４１は、図３に示すようにボルト挿通孔４１ａが形成されており、図１に示すように、ボルト５３によりシールドケース５１に固定される。ケース接続部４１をボルト５３によりシールドケース５１に固定することで、シールドシェル４０はシールドケース５１に接地接続される。
【００３６】
シールドシェル４０のハウジング嵌合筒部４２には、図２に示すように、被覆付き電線１１に被せられた電磁シールド用の金属編組線６１の端部が被せられる。ハウジング嵌合筒部４２に被せられた金属編組線６１は、ハウジング嵌合筒部４２の外周を締め付けるリング部材６３によりハウジング嵌合筒部４２に接地接続される。
【００３７】
本実施形態の場合、シールドシェル４０には、図２及び図３に示すように、リング押え部４６と、電線押え部４７と、が一体形成されている。
【００３８】
リング押え部４６は、図２に及び図３に示すように、ハウジング嵌合筒部４２の後端に一体形成された壁部である。このリング押え部４６は、端子挿入孔２２内の防水リング３０の後端部を覆うように後端開口部２２ａに被さって、防水リング３０の抜けを防止する。
【００３９】
電線押え部４７は、図２に及び図３に示すように、端子挿入孔２２に挿入される被覆付き電線１１の外周に嵌合して被覆付き電線１１の径方向の変位を規制する略筒状の構造で、リング押え部４６に一体形成されている。
【００４０】
以上に説明した一実施形態の防水型シールドコネクタ１では、樹脂製ハウジング２０の端子挿入孔２２に嵌合装着される防水リング３０は、図２に示したように、樹脂製ハウジング２０に被嵌装着されるシールドシェル４０に一体形成されたリング押え部４６により抜け止めされる。
【００４１】
従って、防水リング３０の抜け止めのために別体のリアホルダーを設けていた従来の防水型シールドコネクタ１と比較すると、リアホルダーが不要になる分、構成部品の削減及び組立工程数の削減によってコスト低減を図ることができ。
【００４２】
また、防水リング３０を挿通する被覆付き電線１１の電線端１１ａは、シールドシェル４０に一体形成された電線押え部４７により径方向の変位が規制されるため、被覆付き電線１１に作用する曲げ荷重が防水リング３０に影響を及ぼすことがなく、防水リング３０が曲げ荷重の方向に歪むことを防止することができる。
【００４３】
従って、防水リング３０内に補強用の樹脂部材を埋設装備していた従来の防水型シールドコネクタ１と比較すると、防水リング３０に樹脂部材の埋設が不要になる分、防水リング３０の製造が容易になる。更に、樹脂製ハウジング２０の端子挿入孔２２に装着される防水リング３０における封止性能が被覆付き電線１１に作用する曲げ荷重の影響で低下することを防止することができる。
【００４４】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００４５】
例えば、上記実施形態は、樹脂製ハウジングが２本の端子付き電線を収容保持する２極コネクタであったが、本発明の構造は、１極、又は３本以上の端子付き電線を収容保持する多極の防水型シールドコネクタにも適用することができる。
【００４６】
また、本発明に係る防水型シールドコネクタにおいて、樹脂製ハウジングの端子挿入孔に嵌合装着される防水リングの材質は、適度の弾性を持つ合成ゴムも利用可能である。
【符号の説明】
【００４７】
１  防水型シールドコネクタ
１０  端子付き電線
１１  被覆付き電線
１１ａ  電線端
２０  樹脂製ハウジング
２２  端子挿入孔
２２ａ  後端開口部
３０  防水リング
４０  シールドシェル
４６  リング押え部
４７  電線押え部
【図１】
0005952607.tif 000002
【図２】
0005952607.tif 000003
【図３】
0005952607.tif 000004
【図４】
0005952607.tif 000005